(57)【要約】【課題】デイタイムランニングランプ配光規格を満足させつつ、リフレクタ3の反射面3aの形状の設計上の自由度を増加させる。【解決手段】光源1から照射された光を反射するリフレクタ3と、光源1から照射された光を配光制御してデイタイムランニングランプ配光規格範囲内に照射する配光制御レンズ2とを具備する車両用灯具において、光源1の主光軸線1'と大きい角度をなして光源1から照射された光L2がリフレクタ3を介して車両用灯具の照射方向に照射され、光源1の主光軸線1'と小さい角度をなして光源1から照射された光L1がリフレクタ3を介することなく車両用灯具の照射方向に照射される。リフレクタ3を介することなく配光制御レンズ2を介して車両用灯具の照射方向に照射される光源1からの光L1のみによってデイタイムランニングランプ配光規格を満足させる。【選択図】図６
2008084552.tif 000002
【特許請求の範囲】
【請求項１】
光源と、前記光源から照射された光を反射するためのリフレクタと、前記光源から照射された光を配光制御してデイタイムランニングランプ配光規格範囲内に照射するための配光制御レンズとを具備する車両用灯具において、
光源の主光軸線と大きい角度をなして前記光源から照射された光が前記リフレクタを介して車両用灯具の照射方向に照射され、光源の主光軸線と小さい角度をなして前記光源から照射された光が前記リフレクタを介することなく車両用灯具の照射方向に照射されるように、前記リフレクタを配置し、
前記リフレクタを介することなく前記配光制御レンズを介して車両用灯具の照射方向に照射される前記光源からの光のみによってデイタイムランニングランプ配光規格を満足させるように、前記配光制御レンズを形成したことを特徴とする車両用灯具。
【請求項２】
光源の主光軸線と約７０°以上の角度をなして前記光源から照射された光が前記リフレクタを介して車両用灯具の照射方向に照射されることを特徴とする請求項１に記載の車両用灯具。
【請求項３】
前記リフレクタを介して車両用灯具の照射方向に照射される前記光源からの光のみによってデイタイムランニングランプ発光面積規格を満足させるように、前記リフレクタの反射面を形成したことを特徴とする請求項１又は２に記載の車両用灯具。
【請求項４】
光源と、前記光源から照射された光を配光制御してデイタイムランニングランプ配光規格範囲内に照射するための配光制御レンズとを具備する車両用灯具において、
前記光源からの光が透過せしめられると発光しているように車両用灯具の照射方向から見えるレンズカット部を有するレンズカット部付きレンズを設け、
光源の主光軸線と大きい角度をなして前記光源から照射された光が前記レンズカット部を介して車両用灯具の照射方向に照射され、光源の主光軸線と小さい角度をなして前記光源から照射された光が前記レンズカット部を介することなく車両用灯具の照射方向に照射されるように、前記レンズカット部を配置し、
前記レンズカット部を介することなく前記配光制御レンズを介して車両用灯具の照射方向に照射される前記光源からの光のみによってデイタイムランニングランプ配光規格を満足させるように、前記配光制御レンズを形成したことを特徴とする車両用灯具。
【請求項５】
光源の主光軸線と約７０°以上の角度をなして前記光源から照射された光が前記レンズカット部を介して車両用灯具の照射方向に照射されることを特徴とする請求項４に記載の車両用灯具。
【請求項６】
前記レンズカット部を介して車両用灯具の照射方向に照射される前記光源からの光のみによってデイタイムランニングランプ発光面積規格を満足させるように、前記レンズカット部を形成したことを特徴とする請求項４又は５に記載の車両用灯具。
【発明の詳細な説明】
【技術分野】
【０００１】
本発明は、光源から照射された光を反射するためのリフレクタと、光源から照射された光を配光制御してデイタイムランニングランプ配光規格範囲内に照射するための配光制御レンズとを具備する車両用灯具に関し、特には、デイタイムランニングランプ配光規格を満足させつつ、リフレクタの反射面の形状の設計上の自由度を増加させることができる車両用灯具に関する。
【０００２】
更に、本発明は、光源から照射された光を配光制御してデイタイムランニングランプ配光規格範囲内に照射するための配光制御レンズと、光源からの光が透過せしめられると発光しているように車両用灯具の照射方向から見えるレンズカット部とを具備する車両用灯具に関し、特には、デイタイムランニングランプ配光規格を満足させつつ、レンズカット部の設計上の自由度を増加させることができる車両用灯具に関する。
【背景技術】
【０００３】
従来から、光源から照射された光を反射するためのリフレクタと、光源から照射された光を配光制御して配光規格範囲内に照射するための配光制御レンズとを具備する車両用灯具が知られている。この種の車両用灯具の例としては、例えば特開２００２−２５１９０４号公報に記載されたものがある。
【０００４】
特開２００２−２５１９０４号公報に記載された車両用灯具では、リフレクタからの反射光および光源バルブからの直射光の両者が、配光制御レンズの光透過部分を透過する時に、その光透過部分に形成されたプリズム素子によって配光制御され、その配光制御された光が、配光規格範囲内に照射される。
【０００５】
つまり、特開２００２−２５１９０４号公報に記載された車両用灯具では、リフレクタを介し、次いで、配光制御レンズを介して車両用灯具の照射方向に照射される光源バルブからの光が配光規格範囲内に照射されると共に、リフレクタを介することなく、配光制御レンズを介して車両用灯具の照射方向に照射される光源バルブからの光が配光規格範囲内に照射される。
【０００６】
その結果、特開２００２−２５１９０４号公報に記載された車両用灯具では、リフレクタを介して車両用灯具の照射方向に照射される光源バルブからの光、および、リフレクタを介することなく車両用灯具の照射方向に照射される光源バルブからの光の両者によって配光規格が満足せしめられている。
【０００７】
【特許文献１】特開２００２−２５１９０４号公報
【発明の開示】
【発明が解決しようとする課題】
【０００８】
ところで、特開２００２−２５１９０４号公報には、リフレクタを介することなく車両用灯具の照射方向に照射される光源バルブからの光のみによって配光規格を満足させようとする点について記載されていない。つまり、特開２００２−２５１９０４号公報に記載された車両用灯具では、リフレクタを介して車両用灯具の照射方向に照射される光源バルブからの光を用いなければ、配光規格を満足させることができないと考えられる。
【０００９】
そのため、特開２００２−２５１９０４号公報に記載された車両用灯具では、例えば顧客のニーズなどにあわせてリフレクタの反射面の形状を変更しようとすると、配光規格を満足させることができなくなるおそれがある。
【００１０】
換言すれば、例えば特開２００２−２５１９０４号公報に記載された車両用灯具のように、リフレクタを介して車両用灯具の照射方向に照射される光源からの光、および、リフレクタを介することなく車両用灯具の照射方向に照射される光源からの光の両者によって配光規格が満足せしめられる場合には、リフレクタの反射面の形状の設計上の自由度が低くなってしまう。
【００１１】
前記問題点に鑑み、本発明は、リフレクタを介して車両用灯具の照射方向に照射される光源からの光、および、リフレクタを介することなく車両用灯具の照射方向に照射される光源からの光の両者によってデイタイムランニングランプ配光規格が満足せしめられる場合よりも、リフレクタの反射面の形状の設計上の自由度を増加させることができる車両用灯具を提供することを目的とする。
【００１２】
換言すれば、本発明は、デイタイムランニングランプ配光規格を満足させつつ、リフレクタの反射面の形状の設計上の自由度を増加させることができる車両用灯具を提供することを目的とする。
【００１３】
更に、本発明は、レンズカット部を介して車両用灯具の照射方向に照射される光源からの光、および、レンズカット部を介することなく車両用灯具の照射方向に照射される光源からの光の両者によってデイタイムランニングランプ配光規格が満足せしめられる場合よりも、レンズカット部の設計上の自由度を増加させることができる車両用灯具を提供することを目的とする。
【００１４】
換言すれば、本発明は、デイタイムランニングランプ配光規格を満足させつつ、レンズカット部の設計上の自由度を増加させることができる車両用灯具を提供することを目的とする。
【課題を解決するための手段】
【００１５】
請求項１に記載の発明によれば、光源と、前記光源から照射された光を反射するためのリフレクタと、前記光源から照射された光を配光制御してデイタイムランニングランプ配光規格範囲内に照射するための配光制御レンズとを具備する車両用灯具において、光源の主光軸線と大きい角度をなして前記光源から照射された光が前記リフレクタを介して車両用灯具の照射方向に照射され、光源の主光軸線と小さい角度をなして前記光源から照射された光が前記リフレクタを介することなく車両用灯具の照射方向に照射されるように、前記リフレクタを配置し、前記リフレクタを介することなく前記配光制御レンズを介して車両用灯具の照射方向に照射される前記光源からの光のみによってデイタイムランニングランプ配光規格を満足させるように、前記配光制御レンズを形成したことを特徴とする車両用灯具が提供される。
【００１６】
請求項２に記載の発明によれば、光源の主光軸線と約７０°以上の角度をなして前記光源から照射された光が前記リフレクタを介して車両用灯具の照射方向に照射されることを特徴とする請求項１に記載の車両用灯具が提供される。
【００１７】
請求項３に記載の発明によれば、前記リフレクタを介して車両用灯具の照射方向に照射される前記光源からの光のみによってデイタイムランニングランプ発光面積規格を満足させるように、前記リフレクタの反射面を形成したことを特徴とする請求項１又は２に記載の車両用灯具が提供される。
【００１８】
請求項４に記載の発明によれば、光源と、前記光源から照射された光を配光制御してデイタイムランニングランプ配光規格範囲内に照射するための配光制御レンズとを具備する車両用灯具において、前記光源からの光が透過せしめられると発光しているように車両用灯具の照射方向から見えるレンズカット部を有するレンズカット部付きレンズを設け、光源の主光軸線と大きい角度をなして前記光源から照射された光が前記レンズカット部を介して車両用灯具の照射方向に照射され、光源の主光軸線と小さい角度をなして前記光源から照射された光が前記レンズカット部を介することなく車両用灯具の照射方向に照射されるように、前記レンズカット部を配置し、前記レンズカット部を介することなく前記配光制御レンズを介して車両用灯具の照射方向に照射される前記光源からの光のみによってデイタイムランニングランプ配光規格を満足させるように、前記配光制御レンズを形成したことを特徴とする車両用灯具が提供される。
【００１９】
請求項５に記載の発明によれば、光源の主光軸線と約７０°以上の角度をなして前記光源から照射された光が前記レンズカット部を介して車両用灯具の照射方向に照射されることを特徴とする請求項４に記載の車両用灯具が提供される。
【００２０】
請求項６に記載の発明によれば、前記レンズカット部を介して車両用灯具の照射方向に照射される前記光源からの光のみによってデイタイムランニングランプ発光面積規格を満足させるように、前記レンズカット部を形成したことを特徴とする請求項４又は５に記載の車両用灯具が提供される。
【発明の効果】
【００２１】
請求項１及び２に記載の車両用灯具では、光源の主光軸線と大きい角度をなして光源から照射された光がリフレクタを介して車両用灯具の照射方向に照射され、光源の主光軸線と小さい角度をなして光源から照射された光がリフレクタを介することなく車両用灯具の照射方向に照射されるように、リフレクタが配置されている。
【００２２】
また、請求項１及び２に記載の車両用灯具では、光源から照射された光を配光制御してデイタイムランニングランプ配光規格範囲内に照射するための配光制御レンズが設けられている。
【００２３】
更に、請求項１及び２に記載の車両用灯具では、リフレクタを介することなく配光制御レンズを介して車両用灯具の照射方向に照射される光源からの光のみによってデイタイムランニングランプ配光規格を満足させるように、配光制御レンズが形成されている。
【００２４】
好ましくは、請求項１及び２に記載の車両用灯具では、光源の主光軸線と約７０°以上の角度をなして光源から照射された光がリフレクタを介して車両用灯具の照射方向に照射される。
【００２５】
そのため、請求項１及び２に記載の車両用灯具によれば、リフレクタを介して車両用灯具の照射方向に照射される光源からの光、および、リフレクタを介することなく車両用灯具の照射方向に照射される光源からの光の両者によってデイタイムランニングランプ配光規格が満足せしめられる場合よりも、リフレクタの反射面の形状の設計上の自由度を増加させることができる。
【００２６】
換言すれば、請求項１及び２に記載の車両用灯具によれば、デイタイムランニングランプ配光規格を満足させつつ、リフレクタの反射面の形状の設計上の自由度を増加させることができる。
【００２７】
請求項３に記載の車両用灯具では、リフレクタを介して車両用灯具の照射方向に照射される光源からの光のみによってデイタイムランニングランプ発光面積規格を満足させるように、リフレクタの反射面が形成されている。
【００２８】
換言すれば、請求項３に記載の車両用灯具では、光源の主光軸線と大きい角度をなして光源から照射された光のみによって、デイタイムランニングランプ発光面積規格が満足せしめられ、光源の主光軸線と小さい角度をなして光源から照射された光のみによって、デイタイムランニングランプ配光規格が満足せしめられている。
【００２９】
そのため、請求項３に記載の車両用灯具によれば、光源の主光軸線と大きい角度をなして光源から照射された光、および、光源の主光軸線と小さい角度をなして光源から照射された光の両者によって、デイタイムランニングランプ発光面積規格が満足せしめられる場合や、光源の主光軸線と大きい角度をなして光源から照射された光、および、光源の主光軸線と小さい角度をなして光源から照射された光の両者によって、デイタイムランニングランプ配光規格が満足せしめられる場合よりも、デイタイムランニングランプ発光面積規格あるいはデイタイムランニングランプ配光規格を満足させるための車両用灯具の設計を容易にすることができる。
【００３０】
請求項４及び５に記載の車両用灯具では、光源からの光が透過せしめられると発光しているように車両用灯具の照射方向から見えるレンズカット部を有するレンズカット部付きレンズが設けられている。
【００３１】
また、請求項４及び５に記載の車両用灯具では、光源の主光軸線と大きい角度をなして光源から照射された光がレンズカット部を介して車両用灯具の照射方向に照射され、光源の主光軸線と小さい角度をなして光源から照射された光がレンズカット部を介することなく車両用灯具の照射方向に照射されるように、レンズカット部が配置されている。
【００３２】
更に、請求項４及び５に記載の車両用灯具では、レンズカット部を介することなく配光制御レンズを介して車両用灯具の照射方向に照射される光源からの光のみによってデイタイムランニングランプ配光規格を満足させるように、配光制御レンズが形成されている。
【００３３】
好ましくは、請求項４及び５に記載の車両用灯具では、光源の主光軸線と約７０°以上の角度をなして光源から照射された光がレンズカット部を介して車両用灯具の照射方向に照射される。
【００３４】
そのため、請求項４及び５に記載の車両用灯具によれば、レンズカット部を介して車両用灯具の照射方向に照射される光源からの光、および、レンズカット部を介することなく車両用灯具の照射方向に照射される光源からの光の両者によってデイタイムランニングランプ配光規格が満足せしめられる場合よりも、レンズカット部の設計上の自由度を増加させることができる。
【００３５】
換言すれば、請求項４及び５に記載の車両用灯具によれば、デイタイムランニングランプ配光規格を満足させつつ、レンズカット部の設計上の自由度を増加させることができる。
【００３６】
請求項６に記載の車両用灯具では、レンズカット部を介して車両用灯具の照射方向に照射される光源からの光のみによってデイタイムランニングランプ発光面積規格を満足させるように、レンズカット部が形成されている。
【００３７】
換言すれば、請求項６に記載の車両用灯具では、光源の主光軸線と大きい角度をなして光源から照射された光のみによって、デイタイムランニングランプ発光面積規格が満足せしめられ、光源の主光軸線と小さい角度をなして光源から照射された光のみによって、デイタイムランニングランプ配光規格が満足せしめられている。
【００３８】
そのため、請求項６に記載の車両用灯具によれば、光源の主光軸線と大きい角度をなして光源から照射された光、および、光源の主光軸線と小さい角度をなして光源から照射された光の両者によって、デイタイムランニングランプ発光面積規格が満足せしめられる場合や、光源の主光軸線と大きい角度をなして光源から照射された光、および、光源の主光軸線と小さい角度をなして光源から照射された光の両者によって、デイタイムランニングランプ配光規格が満足せしめられる場合よりも、デイタイムランニングランプ発光面積規格あるいはデイタイムランニングランプ配光規格を満足させるための車両用灯具の設計を容易にすることができる。
【発明を実施するための最良の形態】
【００３９】
以下、本発明の車両用灯具の第１の実施形態について説明する。図１は第１の実施形態の車両用灯具の分解斜視図である。詳細には、図１（Ａ）は第１の実施形態の車両用灯具の主要な部品をすべて分解した状態を示した図、図１（Ｂ）は第１の実施形態の車両用灯具の主要な部品の幾つかを組み立てた状態を示した図である。
【００４０】
図１において、１は例えばＬＥＤのような光源を示しており、１’は光源１の主光軸線を示しており、２は光源１から照射された光を配光制御してデイタイムランニングランプ配光規格範囲内に照射するための配光制御レンズを示している。３は光源１の主光軸線１’と大きい角度をなして光源１から照射された光を車両用灯具の照射方向（図１の右手前側）に反射するためのリフレクタを示している。４は光源１を実装するためのフレキシブル基板を示しており、５は光源１が発生した熱を放熱するためのヒートシンクを示している。
【００４１】
第１の実施形態の車両用灯具では、図１（Ａ）および図１（Ｂ）に示すように、光源１が実装されたフレキシブル基板４および配光制御レンズ２をヒートシンク５に組み付けることにより、組立体１０が形成される。
【００４２】
図２は図１（Ｂ）に示した組立体１０の部品図である。詳細には、図２（Ａ）は組立体１０の正面図、図２（Ｂ）は図２（Ａ）のＡ−Ａ断面図である。図３は組立体１０から照射される光の光路図である。第１の実施形態の車両用灯具では、図２および図３に示すように、光源１の主光軸線１’と例えば約７０°未満の小さい角度をなして光源１から照射された光を配光制御して透過させるためのメインレンズ部２ａと、光源１の主光軸線１’と例えば約７０°以上の大きい角度をなして光源１から照射された光を透過させるための補助レンズ部２ｂとが、配光制御レンズ２に設けられている。
【００４３】
図４は組立体１０によって形成される配光パターン等を示した図である。詳細には、図４（Ａ）はデイタイムランニングランプ配光規格範囲を示した図、図４（Ｂ）は配光制御レンズ２のメインレンズ部２ａを透過せしめられた光によって形成される配光パターンを示した図、図４（Ｃ）は配光制御レンズ２の補助レンズ部２ｂを透過せしめられた光によって形成される配光パターンを示した図である。
【００４４】
デイタイムランニングランプ配光規格では、図４（Ａ）に示すように、１０°Ｕ線と２０°Ｌ線と５°Ｄ線と２０°Ｒ線とによって画定される長方形のデイタイムランニングランプ配光規格範囲（図４（Ａ）のハッチング領域）内の光度が所定値以上になるように要求されている。
【００４５】
そこで、第１の実施形態の車両用灯具では、図４（Ａ）および図４（Ｂ）に示すように、デイタイムランニングランプ配光規格範囲（図４（Ａ）のハッチング領域）よりも少し広い２０°Ｕ線と３０°Ｌ線と２０°Ｄ線と３０°Ｒ線とによって画定される長方形の領域（図４（Ｂ）のハッチング領域）内の光度が、デイタイムランニングランプ配光規格で要求される値以上になるように、光源１が選定され、配光制御レンズ２のメインレンズ部２ａが形成されている。
【００４６】
詳細には、第１の実施形態の車両用灯具では、図３に示すように、光源１の主光軸線１’と例えば約７０°未満の小さい角度をなして光源１から照射された光が、配光制御レンズ２のメインレンズ部２ａによって配光制御され、図４（Ｂ）に示すハッチング領域内に照射される。つまり、配光制御レンズ２のメインレンズ部２ａによって配光制御された光の大部分が、デイタイムランニングランプ配光規格範囲（図４（Ａ）のハッチング領域）内に照射される。
【００４７】
更に、第１の実施形態の車両用灯具では、配光制御レンズ２のメインレンズ部２ａから照射された光のみによって、デイタイムランニングランプ配光規格が満足せしめられるように、光源１が選定され、配光制御レンズ２のメインレンズ部２ａが形成されている。
【００４８】
また、第１の実施形態の車両用灯具では、図３に示すように、光源１の主光軸線１’と例えば約７０°以上の大きい角度をなして光源１から照射された光が、配光制御レンズ２の補助レンズ部２ｂを透過せしめられる。配光制御レンズ２の補助レンズ部２ｂを透過せしめられた光が、仮に図３に示すように、そのまま車両用灯具の照射方向（図３の上側）に照射される場合には、図４（Ｃ）に示す環状のハッチング領域内に照射される。
【００４９】
そこで、第１の実施形態の車両用灯具では、配光制御レンズ２の補助レンズ部２ｂを透過せしめられた光によってデイタイムランニングランプ発光面積規格を満足させるために、図１、図５および図６に示すように、リフレクタ３が設けられている。
【００５０】
図５は第１の実施形態の車両用灯具を示した図である。詳細には、図５は図２に示した組立体１０にリフレクタ３が組み付けられたものを示した図である。更に詳細には、図５（Ａ）は第１の実施形態の車両用灯具の正面図、図５（Ｂ）は図５（Ａ）のＢ−Ｂ断面図である。図６は第１の実施形態の車両用灯具から照射される光の光路図である。詳細には、図６は図２に示した組立体１０にリフレクタ３が組み付けられたものから照射される光の光路図である。第１の実施形態の車両用灯具では、図１、図５および図６に示すように、リフレクタ３が環状に形成され、リフレクタ３の主光軸線と光源１の主光軸線１’とがほぼ一致するようにリフレクタ３が配置されている。更に、リフレクタ３には、配光制御レンズ２の補助レンズ部２ｂを透過せしめられた光（図３参照）を車両用灯具の照射方向（図５（Ｂ）および図６の上側）に反射するための反射面３ａが、形成されている。
【００５１】
詳細には、第１の実施形態の車両用灯具では、図６に示すように、光源１の主光軸線１’と例えば約７０°以上の大きい角度をなして光源１から照射され、配光制御レンズ２の補助レンズ部２ｂを透過せしめられた光Ｌ２が、リフレクタ３の反射面３ａによって反射され、車両用灯具の照射方向（図６の上側）に照射される。一方、光源１の主光軸線１’と例えば約７０°未満の小さい角度をなして光源１から照射され、配光制御レンズ２のメインレンズ部２ａを透過せしめられた光Ｌ１は、リフレクタ３を介することなく、車両用灯具の照射方向（図６の上側）に照射される。
【００５２】
更に、第１の実施形態の車両用灯具では、図４（Ａ）、図４（Ｂ）および図６に示すように、リフレクタ３を介することなく配光制御レンズ２のメインレンズ部２ａを介して車両用灯具の照射方向（図６の上側）に照射される光源１からの光Ｌ１のみによって、デイタイムランニングランプ配光規格が満足せしめられている。つまり、第１の実施形態の車両用灯具では、配光制御レンズ２の補助レンズ部２ｂおよびリフレクタ３を介して車両用灯具の照射方向（図６の上側）に照射される光源１からの光Ｌ２を用いなくても、デイタイムランニングランプ配光規格が満足せしめられている。
【００５３】
そのため、第１の実施形態の車両用灯具によれば、リフレクタ３を介して車両用灯具の照射方向（図６の上側）に照射される光源１からの光Ｌ２、および、リフレクタ３を介することなく車両用灯具の照射方向（図６の上側）に照射される光源１からの光Ｌ１の両者によってデイタイムランニングランプ配光規格が満足せしめられる場合よりも、リフレクタ３の反射面３ａの形状の設計上の自由度を増加させることができる。
【００５４】
換言すれば、第１の実施形態の車両用灯具によれば、デイタイムランニングランプ配光規格を満足させつつ、リフレクタ３の反射面３ａの形状の設計上の自由度を増加させることができる。
【００５５】
第１の実施形態の車両用灯具では、図６に示すように、リフレクタ３の反射面３ａからの反射光Ｌ２が、光源１の主光軸線１’と角度をなす拡散光として車両用灯具の照射方向（図６の上側）に照射されるが、第２の実施形態の車両用灯具では、代わりに、リフレクタ３の反射面３ａからの反射光Ｌ２を、光源１の主光軸線１’と平行な光として車両用灯具の照射方向（図６の上側）に照射することも可能である。
【００５６】
また、第１の実施形態の車両用灯具では、図６に示すように、リフレクタ３の反射面３ａを介して車両用灯具の照射方向（図６の上側）に照射される光源１からの光Ｌ２のみによってデイタイムランニングランプ発光面積規格を満足させるように、リフレクタ３の反射面３ａが形成されている。
【００５７】
すなわち、第１の実施形態の車両用灯具では、図５（Ａ）中のリフレクタ３の反射面３ａの部分の面積によって、デイタイムランニングランプ発光面積規格が満足せしめられている。つまり、図５（Ａ）中の配光制御レンズ２の部分の面積が含まれなくても、デイタイムランニングランプ発光面積規格が満足せしめられている。
【００５８】
換言すれば、第１の実施形態の車両用灯具では、図６に示すように、光源１の主光軸線１’と大きい角度をなして光源１から照射された光Ｌ２のみによって、デイタイムランニングランプ発光面積規格が満足せしめられ、光源１の主光軸線１’と小さい角度をなして光源１から照射された光Ｌ１のみによって、デイタイムランニングランプ配光規格が満足せしめられている。
【００５９】
そのため、第１の実施形態の車両用灯具によれば、光源１の主光軸線１’と大きい角度をなして光源１から照射された光Ｌ２、および、光源１の主光軸線１’と小さい角度をなして光源１から照射された光Ｌ１の両者によって、デイタイムランニングランプ発光面積規格が満足せしめられる場合や、光源１の主光軸線１’と大きい角度をなして光源１から照射された光Ｌ２、および、光源１の主光軸線１’と小さい角度をなして光源１から照射された光Ｌ１の両者によって、デイタイムランニングランプ配光規格が満足せしめられる場合よりも、デイタイムランニングランプ発光面積規格あるいはデイタイムランニングランプ配光規格を満足させるための車両用灯具の設計を容易にすることができる。
【００６０】
第１の実施形態の車両用灯具では、図５（Ａ）中の配光制御レンズ２の部分の面積が含まれなくても、デイタイムランニングランプ発光面積規格が満足せしめられているが、第３の実施形態の車両用灯具では、代わりに、図５（Ａ）中のリフレクタ３の反射面３ａの部分の面積と、図５（Ａ）中の配光制御レンズ２のうち、車両用灯具の照射方向（図５（Ａ）の手前側）から発光しているように見える部分の面積とを加えることにより、デイタイムランニングランプ発光面積規格が満足せしめられるように、配光制御レンズ２およびリフレクタ３の反射面３ａを形成することも可能である。
【００６１】
また、第１の実施形態の車両用灯具では、図２（Ｂ）に示すように、配光制御レンズ２の補助レンズ部２ｂの断面形状が凸状に形成され、補助レンズ部２ｂを透過せしめられる光が、補助レンズ部２ｂによって少し屈折せしめられるが、第４の実施形態の車両用灯具では、代わりに、補助レンズ部２ｂを透過せしめられる光が補助レンズ部２ｂを素通しせしめられるように、補助レンズ部２ｂを形成することも可能である。
【００６２】
更に、第１の実施形態の車両用灯具では、図５（Ｂ）に示すように、光源１と配光制御レンズ２との間に空間が配置されているが、第５の実施形態の車両用灯具では、代わりに、配光制御レンズ２を構成する材料と同一の材料あるいは他の透明材料によって、図５（Ｂ）に示した光源１と配光制御レンズ２との間の空間を封止することも可能である。
【００６３】
以下、本発明の車両用灯具の第６の実施形態について説明する。第６の実施形態の車両用灯具は、後述する点を除き、上述した第１の実施形態の車両用灯具とほぼ同様に構成されている。従って、第６の実施形態の車両用灯具によれば、後述する点を除き、上述した第１の実施形態の車両用灯具とほぼ同様の効果を奏することができる。
【００６４】
図７は第６の実施形態の車両用灯具を示した図である。詳細には、図７（Ａ）は第６の実施形態の車両用灯具の図１（Ｂ）と同様の分解斜視図、図７（Ｂ）は第６の実施形態の車両用灯具の図５（Ａ）と同様の正面図である。
【００６５】
第１の実施形態の車両用灯具では、図５（Ａ）に示すように、車両用灯具の照射方向（図５（Ａ）の手前側）から見たリフレクタ３の外形が円形に構成されているが、第６の実施形態の車両用灯具では、図７（Ｂ）に示すように、車両用灯具の照射方向（図７（Ｂ）の手前側）から見たリフレクタ１３の外形が概略平行四辺形に構成されている。第６の実施形態の車両用灯具においても、光源１の主光軸線１’と例えば約７０°以上の大きい角度をなして光源１から照射され、配光制御レンズ２の補助レンズ部２ｂを透過せしめられた光Ｌ２（図６参照）が、リフレクタ１３の反射面１３ａによって反射され、車両用灯具の照射方向（図７（Ａ）の右手前側、図７（Ｂ）の手前側）に照射される。
【００６６】
更に、第６の実施形態の車両用灯具においても、図７に示すように、配光制御レンズ２の補助レンズ部２ｂを透過せしめられ、リフレクタ１３の反射面１３ａによって反射された光Ｌ２（図６参照）のみにより、デイタイムランニングランプ発光面積規格が満足せしめられる。
【００６７】
以下、本発明の車両用灯具の第７の実施形態について説明する。第７の実施形態の車両用灯具は、後述する点を除き、上述した第１の実施形態の車両用灯具とほぼ同様に構成されている。従って、第７の実施形態の車両用灯具によれば、後述する点を除き、上述した第１の実施形態の車両用灯具とほぼ同様の効果を奏することができる。
【００６８】
図８は第７の実施形態の車両用灯具を示した図である。詳細には、図８（Ａ）は第７の実施形態の車両用灯具の図１（Ｂ）と同様の分解斜視図、図８（Ｂ）は第７の実施形態の車両用灯具の図５（Ａ）と同様の正面図である。
【００６９】
第１の実施形態の車両用灯具では、図５（Ａ）に示すように、車両用灯具の照射方向（図５（Ａ）の手前側）から見たリフレクタ３の外形が円形に構成されているが、第７の実施形態の車両用灯具では、図８（Ｂ）に示すように、車両用灯具の照射方向（図８（Ｂ）の手前側）から見たリフレクタ２３の外形が概略台形に構成されている。第７の実施形態の車両用灯具においても、光源１の主光軸線１’と例えば約７０°以上の大きい角度をなして光源１から照射され、配光制御レンズ２の補助レンズ部２ｂを透過せしめられた光Ｌ２（図６参照）が、リフレクタ２３の反射面２３ａによって反射され、車両用灯具の照射方向（図８（Ａ）の右手前側、図８（Ｂ）の手前側）に照射される。
【００７０】
更に、第７の実施形態の車両用灯具においても、図８に示すように、配光制御レンズ２の補助レンズ部２ｂを透過せしめられ、リフレクタ２３の反射面２３ａによって反射された光Ｌ２（図６参照）のみにより、デイタイムランニングランプ発光面積規格が満足せしめられる。
【００７１】
以下、本発明の車両用灯具の第８の実施形態について説明する。図９および図１０は第８の実施形態の車両用灯具を示した図である。詳細には、図９（Ａ）は第８の実施形態の車両用灯具の図１（Ｂ）と同様の分解斜視図、図９（Ｂ）は第８の実施形態の車両用灯具の正面図、図１０（Ａ）は図９（Ｂ）のＣ−Ｃ断面図、図１０（Ｂ）は第８の実施形態の車両用灯具の光路図である。
【００７２】
図９および図１０において、３６はレンズカット部付きレンズを示しており、３６ａは透過光が素通しせしめられる素通し部を示している。３６ｂは透過光が拡散せしめられ、車両用灯具の照射方向から発光しているように見えるレンズカット部を示している。第８の実施形態の車両用灯具の組立体１０は、第１の実施形態の車両用灯具の組立体１０（図２および図３参照）と同様に構成されている。また、第８の実施形態の車両用灯具の組立体１０によって形成される配光パターンは、第１の実施形態の車両用灯具の組立体１０によって形成される配光パターン（図４（Ｂ）および図４（Ｃ）参照）と同様である。
【００７３】
第８の実施形態の車両用灯具では、図１０（Ａ）および図１０（Ｂ）に示すように、配光制御レンズ２のメインレンズ部２ａから照射された光Ｌ１’のみによって、デイタイムランニングランプ配光規格が満足せしめられるように、光源１が選定され、配光制御レンズ２のメインレンズ部２ａが形成されている。
【００７４】
更に、第８の実施形態の車両用灯具では、図１０（Ａ）および図１０（Ｂ）に示すように、配光制御レンズ２の補助レンズ部２ｂを透過せしめられた光Ｌ２’によってデイタイムランニングランプ発光面積規格を満足させるために、レンズカット部３６ｂが設けられている。
【００７５】
詳細には、第８の実施形態の車両用灯具では、図１０（Ｂ）に示すように、光源１の主光軸線１’と例えば約７０°以上の大きい角度をなして光源１から照射され、配光制御レンズ２の補助レンズ部２ｂを透過せしめられた光Ｌ２’が、レンズカット部３６ｂを透過せしめられ、車両用灯具の照射方向（図１０（Ｂ）の上側）に照射される。一方、光源１の主光軸線１’と例えば約７０°未満の小さい角度をなして光源１から照射され、配光制御レンズ２のメインレンズ部２ａを透過せしめられた光Ｌ１’は、レンズカット部３６ｂを透過せしめられることなく、素通し部３６ａを透過せしめられ、車両用灯具の照射方向（図１０（Ｂ）の上側）に照射される。
【００７６】
更に、第８の実施形態の車両用灯具では、図４（Ａ）、図４（Ｂ）および図１０（Ｂ）に示すように、レンズカット部３６ｂを介することなく、配光制御レンズ２のメインレンズ部２ａおよび素通し部３６ａを介して車両用灯具の照射方向（図１０（Ｂ）の上側）に照射される光源１からの光Ｌ１’のみによって、デイタイムランニングランプ配光規格が満足せしめられている。つまり、第８の実施形態の車両用灯具では、配光制御レンズ２の補助レンズ部２ｂおよびレンズカット部３６ｂを介して車両用灯具の照射方向（図１０（Ｂ）の上側）に照射される光源１からの光Ｌ２’を用いなくても、デイタイムランニングランプ配光規格が満足せしめられている。
【００７７】
そのため、第８の実施形態の車両用灯具によれば、レンズカット部３６ｂを介して車両用灯具の照射方向（図１０（Ｂ）の上側）に照射される光源１からの光Ｌ２’、および、レンズカット部３６ｂを介することなく車両用灯具の照射方向（図１０（Ｂ）の上側）に照射される光源１からの光Ｌ１’の両者によってデイタイムランニングランプ配光規格が満足せしめられる場合よりも、レンズカット部３６ｂの形状の設計上の自由度を増加させることができる。
【００７８】
換言すれば、第８の実施形態の車両用灯具によれば、デイタイムランニングランプ配光規格を満足させつつ、レンズカット部付きレンズ３６のレンズカット部３６ｂの形状の設計上の自由度を増加させることができる。
【００７９】
また、第８の実施形態の車両用灯具では、図１０（Ｂ）に示すように、レンズカット部付きレンズ３６のレンズカット部３６ｂを介して車両用灯具の照射方向（図１０（Ｂ）の上側）に照射される光源１からの光Ｌ２’のみによってデイタイムランニングランプ発光面積規格を満足させるように、レンズカット部付きレンズ３６のレンズカット部３６ｂが形成されている。
【００８０】
すなわち、第８の実施形態の車両用灯具では、図９（Ｂ）中のレンズカット部３６ｂの部分の面積によって、デイタイムランニングランプ発光面積規格が満足せしめられている。つまり、図９（Ｂ）中の素通し部３６ａの部分の面積が含まれなくても、デイタイムランニングランプ発光面積規格が満足せしめられている。
【００８１】
換言すれば、第８の実施形態の車両用灯具では、図１０（Ｂ）に示すように、光源１の主光軸線１’と大きい角度をなして光源１から照射された光Ｌ２’のみによって、デイタイムランニングランプ発光面積規格が満足せしめられ、光源１の主光軸線１’と小さい角度をなして光源１から照射された光Ｌ１’のみによって、デイタイムランニングランプ配光規格が満足せしめられている。
【００８２】
そのため、第８の実施形態の車両用灯具によれば、光源１の主光軸線１’と大きい角度をなして光源１から照射された光Ｌ２’、および、光源１の主光軸線１’と小さい角度をなして光源１から照射された光Ｌ１’の両者によって、デイタイムランニングランプ発光面積規格が満足せしめられる場合や、光源１の主光軸線１’と大きい角度をなして光源１から照射された光Ｌ２’、および、光源１の主光軸線１’と小さい角度をなして光源１から照射された光Ｌ１’の両者によって、デイタイムランニングランプ配光規格が満足せしめられる場合よりも、デイタイムランニングランプ発光面積規格あるいはデイタイムランニングランプ配光規格を満足させるための車両用灯具の設計を容易にすることができる。
【００８３】
第８の実施形態の車両用灯具では、図９（Ｂ）中の素通し部３６ａの部分の面積が含まれなくても、デイタイムランニングランプ発光面積規格が満足せしめられているが、第９の実施形態の車両用灯具では、代わりに、図９（Ｂ）中のレンズカット部３６ｂの部分の面積と、図９（Ｂ）中の素通し部３６ａのうち、車両用灯具の照射方向（図９（Ｂ）の手前側）から発光しているように見える部分の面積とを加えることにより、デイタイムランニングランプ発光面積規格が満足せしめられるように、配光制御レンズ２およびレンズカット部３６ｂを形成することも可能である。
【００８４】
また、第８の実施形態の車両用灯具では、図９（Ａ）および図１０（Ａ）に示すように、レンズカット部付きレンズ３６がアウターレンズとして用いられているが、第１０の実施形態の車両用灯具では、代わりに、レンズカット部付きレンズ３６をインナーレンズとして用いると共に、レンズカット部付きレンズ３６とは別個にアウターレンズを設けることも可能である。
【００８５】
第１１の実施形態では、上述した第１から第１０の実施形態を適宜組み合わせることも可能である。
【図面の簡単な説明】
【００８６】
【図１】第１の実施形態の車両用灯具の分解斜視図である。
【図２】図１（Ｂ）に示した組立体１０の部品図である。
【図３】組立体１０から照射される光の光路図である。
【図４】組立体１０によって形成される配光パターン等を示した図である。
【図５】第１の実施形態の車両用灯具を示した図である。
【図６】第１の実施形態の車両用灯具から照射される光の光路図である。
【図７】第６の実施形態の車両用灯具を示した図である。
【図８】第７の実施形態の車両用灯具を示した図である。
【図９】第８の実施形態の車両用灯具を示した図である。
【図１０】第８の実施形態の車両用灯具を示した図である。ンを示した図である。
【符号の説明】
【００８７】
１                        光源
２                        配光制御レンズ
２ａ                      メインレンズ部
２ｂ                      補助レンズ部
３                        リフレクタ
３ａ                      反射面
４                        フレキシブル基板
５                        ヒートシンク
１０                      組立体
【図１】
2008084552.tif 000003
【図２】
2008084552.tif 000004
【図３】
2008084552.tif 000005
【図４】
2008084552.tif 000006
【図５】
2008084552.tif 000007
【図６】
2008084552.tif 000008
【図７】
2008084552.tif 000009
【図８】
2008084552.tif 000010
【図９】
2008084552.tif 000011
【図１０】
2008084552.tif 000012